(57)【要約】【課題】着信ランプが発光状態によって何を報知しているのかを容易に認識できる通信装置を提供する。【解決手段】通信部２により通信処理を行う際に、着・受信処理の場合には発光部４を副表示部３２に近づく方向に順次発光するパターンで発光させ、発・送信処理の場合には発光部４を副表示部３２から遠ざかる方向に順次発光するパターンで発光させる。【選択図】図４
2011078122.tif 000002
【特許請求の範囲】
【請求項１】
筐体と、
通信部と、
前記筐体の表面部に配置されて各種情報を表示可能な表示部と、
前記表示部の周囲に配置される発光部と、
前記表示部の表示状態と前記発光部の発光状態とを制御する制御部と、
を備え、
前記発光部が、前記表示部に向かって直列的に複数配設されており、
前記表示部は、前記通信部による通信情報を表示し、
前記制御部は、前記通信部による通信状態に応じて、前記複数の発光部を前記表示部に向かう方向に順次発光させた後に前記表示部に前記通信情報を表示させる、又は前記表示部に前記通信情報を表示させた後に前記複数の発光部を前記表示部から遠ざかる方向に順次発光させる
ことを特徴とする通信装置。
【請求項２】
前記制御部は、前記通信部によって着信処理又は受信処理が行われた場合に、前記複数の発光部を前記表示部に向かう方向に順次発光させた後に前記表示部に前記着信処理又は前記受信処理に関する情報を表示させる
ことを特徴とする請求項１に記載の通信装置。
【請求項３】
前記制御部は、前記通信部によって送信処理又は発信処理が行われた場合に、前記表示部に前記送信処理又は前記発信処理に関する情報を表示させた後に前記複数の発光部を前記表示部から遠ざかる方向に順次発光させる
ことを特徴とする請求項１又は請求項２に記載の通信装置。
【請求項４】
前記制御部は、前記表示部への前記通信情報の表示と前記複数の発光部での発光を同時に行わない
ことを特徴とする請求項１から３のいずれか一項に記載の通信装置。
【請求項５】
前記制御部は、前記通信部による通信の通信相手又は通信内容に応じて、前記複数の発光部での発光状態を変更する
ことを特徴とする請求項１から４のいずれか一項に記載の通信装置。
【請求項６】
前記制御部は、前記発光部での発光状態に対応する動きを有する画像を前記表示部に表示させる
ことを特徴とする請求項１から５のいずれか一項に記載の通信装置。
【請求項７】
前記発光部は、前記表示部の長手方向に沿って配列されている
ことを特徴とする請求項１から６のいずれか一項に記載の通信装置。
【発明の詳細な説明】
【技術分野】
【０００１】
本発明は、表示部と発光部とを有する通信装置に関する。
【背景技術】
【０００２】
携帯電話等の通信装置において、着信ランプとしてＬＥＤ（Light Emitting Diode）等の発光部を有するものがある。こうした通信装置では、着信に合わせてＬＥＤが点灯・点滅等し、着信を報知したり、その他の通信装置の各機能に合わせてＬＥＤを点灯・点滅等させたりしていた。こうした従来の技術に、特許文献１や２がある。
【先行技術文献】
【特許文献】
【０００３】
【特許文献１】特開２００３−１３４２０４号公報
【特許文献２】特開２００３−１６３９６８号公報
【発明の概要】
【発明が解決しようとする課題】
【０００４】
しかし、特許文献１及び特許文献２に開示された携帯電話機では、ＬＥＤが１つしか配置されていないため、ＬＥＤが発光しても、発光パターンや色等を記憶していなければ何を報知しているのか分からず、ＬＥＤは報知手段としての存在意義が少ない、という不利益があった。
【０００５】
本発明は、上述した不利益を解消するために、発光部が発光状態によって何を報知しているのかを容易に認識できる通信装置を提供することを目的とする。
【課題を解決するための手段】
【０００６】
上述した目的を達成するために、第１の発明の通信装置は、筐体と、通信部と、前記筐体の表面部に配置されて各種情報を表示可能な表示部と、前記表示部の周囲に配置される発光部と、前記表示部の表示状態と前記発光部の発光状態とを制御する制御部と、を備え、前記発光部が、前記表示部に向かって直列的に複数配設されており、前記表示部は、前記通信部による通信情報を表示し、前記制御部は、前記通信部による通信状態に応じて、前記複数の発光部を前記表示部に向かう方向に順次発光させた後に前記表示部に前記通信情報を表示させる、又は前記表示部に前記通信情報を表示させた後に前記複数の発光部を前記表示部から遠ざかる方向に順次発光させる。
【０００７】
好適には、前記制御部は、前記通信部によって着信処理又は受信処理が行われた場合に、前記複数の発光部を前記表示部に向かう方向に順次発光させた後に前記表示部に前記着信処理又は前記受信処理に関する情報を表示させる。
【０００８】
好適には、前記制御部は、前記通信部によって送信処理又は発信処理が行われた場合に、前記表示部に前記送信処理又は前記発信処理に関する情報を表示させた後に前記複数の発光部を前記表示部から遠ざかる方向に順次発光させる。
【０００９】
好適には、前記制御部は、前記表示部への前記通信情報の表示と前記複数の発光部での発光を同時に行わない。
【００１０】
好適には、前記制御部は、前記通信部による通信の通信相手又は通信内容に応じて、前記複数の発光部での発光状態を変更する。
【００１１】
好適には、前記制御部は、前記発光部での発光状態に対応する動きを有する画像を前記表示部に表示させる。
【００１２】
好適には、前記発光部は、前記表示部の長手方向に沿って配列されている。
【発明の効果】
【００１３】
本発明によれば、発光部の発光状態によって何を報知しているのかを容易に認識できる通信装置を提供することができる。
【図面の簡単な説明】
【００１４】
【図１】図１は、携帯端末１００の構成を示すブロック図である。
【図２】図２は、携帯端末１００の外観を示す図である。
【図３】図３は、携帯端末１００の副表示部３２と発光部４とが配置された第１筐体１１の主面を正面から見た図である。
【図４】図４は、発光部４の発光パターンの具体例を示す図である。
【図５】図５は、副表示部３２に表示される発光部４の発光と同じ向きへの移動を伴う画面の具体例を示す図である。
【図６】図６は、携帯端末１００の通信時の動作例を示したフローチャートである。
【図７】図７は、副操作部５２によって副表示部３２を点灯・消灯する際の携帯端末１００の動作例について説明するためのフローチャートである。
【図８】図８は、発光部４の配置の変形例を示す図である。
【発明を実施するための形態】
【００１５】
以下、本実施形態の通信装置としての携帯端末１００について説明する。なお、本実施形態では、携帯電話機を携帯端末１００の一例として説明する。
図１は、携帯端末１００の構成を示すブロック図である。
図１に示すように、携帯端末１００は、筐体１の中に通信部２、表示部３、発光部４、操作部５、制御部６を有する。
【００１６】
筐体１は、第１筐体１１と第２筐体１２とからなり、第１筐体１１及び第２筐体１２は、例えば図２に示すように、折り畳み可能に構成されている。
図２は、携帯端末１００の外観を示す図である。
図２（ａ）は、携帯端末１００の開いた状態を示し、図２（ｂ）は、携帯端末１００の閉じた状態を示している。
本実施形態では、携帯端末１００の形状を、図２に示すような、いわゆる折り畳み型として説明するが、本発明はこれには限定されず、例えば、ストレート型、スライド型、リボルバー型等の携帯端末であっても良い。
【００１７】
通信部２は、基地局との間の無線通信に関する処理を行う。例えば、制御部６から供給される送信データに所定の変調処理を施して無線信号に変換し、図示しないアンテナから送出する。また、アンテナにおいて受信される基地局からの無線信号に所定の復調処理を施して受信データに変換し、制御部６に出力する。
【００１８】
表示部３は、例えば、ＬＣＤ（Liquid Crystal Display）や有機ＥＬ（Electro Luminescence）ディスプレイ等の表示デバイスであり、制御部６から供給される画像データに応じた画像を表示する。例えば、発信時における発信先の電話番号や、着信時における着信相手の電話番号、受信メールや送信メールの内容、待ち受け画面、日付、時刻、バッテリ残量等を表示する。
また、表示部３は、メインディスプレイとしての主表示部３１とサブディスプレイとしての副表示部３２とからなる。図２（ａ）に示すように、主表示部３１は第１筐体の正面部１１ａに配置されており、図２（ｂ）に示すように、携帯端末１００が折り畳まれた状態では外側に露出しない。また、図２（ｂ）に示すように、副表示部３２は、第１筐体１１の主表示部３１と反対側の背面部１１ｂに配置されており、携帯端末１００が折り畳まれた状態でも外側に露出するようになっている。
【００１９】
表示部３は、後述する操作部５がユーザによって所定の時間以上操作がなされない場合、省電力のために消灯し表示を消す。所定の時間は、例えばユーザが自由に設定できるようにしてもよいし、携帯端末１００の工場出荷時に設定されていてもよい。
【００２０】
発光部４は、図２（ｂ）に示すように、第１筐体１１の副表示部３２と同じ背面部１１ｂに配置されているＬＥＤ等の発光デバイスであり、携帯端末１００の各機能の各状態に合わせて点灯・点滅し、ユーザに報知を行う。発光部４は、例えば、音声通話の着信・発信、ｅメール受信・発信、音楽再生時に発光し、それぞれの場合に合わせて点灯する強さや点灯・点滅の間隔等を変化させる。
【００２１】
図３に、副表示部３２と発光部４の位置関係を示す。
図３は、携帯端末１００の副表示部３２と発光部４とが配置された第１筐体１１の背面部１１ｂを正面から見た図である。
図３に示すように、発光部４は、副表示部３２と隣接して複数個配置されている。
本実施形態では、一例として、図３に示すように発光部４が６個配置されている場合について説明する。図３に示すように、副表示部３２は長方形状に形成され、副表示部３２の短手方向に２つ並んだ発光部４１が、副表示部３２の長手方向に３列配置されている。それぞれの発光部を、図３に示すように、副表示部３２に近い方から、発光部４１及び４２、４３及び４４、４５及び４６とする。本実施形態では、発光部４は、副表示部３２の短手方向に並んだ２つの発光部（４１と４２、４３と４４、４５と４６）で１組となっており、各組の２つの発光部が同時に発光するようになっている。
【００２２】
また、発光部４は、与えられた電流値によって発光の明るさを変えられるようになっており、例えば３段階の電流値に対し３段階の明るさで点灯・点滅することができる。本実施形態では３段階としたが、本発明の発光部４はより多くの段階の電流値に対応して明るさを変えることができても良い。
発光部４は、後述する制御部６の制御に従って、通信部２が通信を行う際に発光する。発光時の処理については詳しくは後述する。
【００２３】
操作部５は、文字入力キー、テンキー、十字キー、決定キー及びその他の機能キー等からなる入力デバイスであり、主操作部５１及び副操作部５２を有して構成される。
主操作部５１は、図２（ａ）に示すように、第２筐体１２の携帯端末１００が閉じた状態では外部に露出しない正面部１２ａに配置されており、図２（ｂ）に示すように、携帯端末１００が閉じた状態では操作不能となる。
主操作部５１は、図２（ａ）に示すように、テンキー、十字キー、決定キー等を有し、携帯端末１００に対する主たる操作手段である。
【００２４】
副操作部５２は、図２（ｂ）に示すように、第１筐体１１の携帯端末１００が閉じた状態でも外部に露出する背面部１１ｂに配置されており、図２（ｂ）に示すように、携帯端末１００が閉じた状態でも操作可能である。
副操作部５２は、副表示部３２の表示のオン／オフを行うときに操作される。
上述したように、副表示部３２は、ユーザによる操作部５の操作がないまま所定の時間が経過すると、消灯し表示が消える。副表示部３２の表示が消えた状態で、副操作部５２を押下することによって、副表示部３２に表示を開始させる。
【００２５】
制御部６は、携帯端末１００の統括的な制御を行う。
すなわち、例えば、音声通話着信があった場合には、発信相手から発信先情報を受信し、アドレス帳データと照合して表示部３に発信先情報を表示させ、図示しない音声入出力部を制御して通話を開始させる等の処理や、音楽プレーヤ等のアプリケーションプログラムを起動し、図示しない記憶部に記憶された音楽データを再生する等の処理を行う。
また、制御部６は、通信部２の通信状況に合わせて、発光部４を発光させ、副表示部３２に所定の画像（アニメーション）や各種情報を表示させる。
【００２６】
以下、発光部４の発光処理について説明する。
発光部４の基本的な発光パターンは２種類ある。すなわち、副表示部３２に近づく方向に順次発光するパターン（すなわち、４５および４６、４３及び４４、４１及び４２の順に発光）と、副表示部３２から遠ざかる方向に順次発光するパターン（すなわち、４１及び４２、４３及び４４、４５及び４６の順に発光）の２種類である。
発光パターンの具体例を図４に示す。図４の横軸は時間（単位：秒）を示している。図４（ａ）〜（ｄ）が副表示部３２に近づく方向に順次発光する発光パターンであり、図４（ｅ）〜（ｈ）が副表示部３２から遠ざかる方向に順次発光する発光パターンである。このように発光部４は、副表示部３２に近づく方向または副表示部３２から遠ざかる方向といった方向性を有する発光パターンで発光可能とされている。
【００２７】
なお、図４に示すように、発光部４の発光パターンはパターン毎に１周期の時間が異なる。例えば、図４（ａ）及び（ｅ）に示した発光パターンは１周期が０．７５秒であり、図４（ｂ）及び（ｆ）に示した発光パターンは１周期が２．００秒であり、図４（ｃ）及び（ｇ）に示した発光パターンは１周期が１．５０秒であり、図４（ｄ）及び（ｈ）に示した発光パターンは１周期が２．５０秒である。
また、図４に示した発光パターンでは、発光の強さが電流値１〜３（３が最も強く、１が最も弱い）で示されている。この発光の際の発光の強さは常に同じにする必要はなく、同じパターンでも繰り返し毎に電流値を変えたり、任意の発光を任意の電流値で行ったりしても良い。
【００２８】
まず、制御部６は、通信部２によって着信処理或いは受信処理が行われた場合に、副表示部３２に近づく方向に順次発光するパターンで発光部４を発光させる。着信処理とは、例えば、音声通話の着信やｅメールの着信等の処理であり、受信処理とは、赤外線や有線によるデータ受信等の処理を指す。
制御部６は、通信部２によって着信処理或いは受信処理が行われた場合に、上述したように発光部４を図４に示すパターン（ａ）〜（ｄ）のいずれかに応じて発光させた後に（あるいは同時に）、副表示部３２に着信処理或いは受信処理に関する情報を表示させる。着信処理に関する情報とは、例えば、音声通話の発信元の情報（発信者の電話番号や名前等）や、ｅメールの送信元の情報（ｅメールの送信者アドレスや名前等）、ｅメールの内容に関する情報（例えば、メールタイトルや、メール本文の一部や、メールの内容の傾向を表すアイコン等）であり、受信処理に関する情報とは、受信状態（転送速度等）、受信内容（受信したファイル名や、受信したデータの一部等）を指す。
このように発光部４を副表示部３２に近づく方向に順次発光させることにより、外部から副表示部３２に向かって（すなわち携帯端末１００に）情報が入ってくるようなイメージを見る者に抱かせることができる。
なお、制御部６は副表示部３２に各種情報を表示させる際には、発光部４を発光させ続けてもよいし、発光部４の発光パターンの１周期分の発光が終わった時点で発光を止めても良い。また、発光部４を発光させ続ける場合は、同じ発光パターンで繰り返し発光させてもよいし、１つのパターンが終わるたびに異なる発光パターンを使用して発光させてもよい。
【００２９】
また、制御部６は、通信部２によって発信処理或いは送信処理が行われた場合に、副表示部３２から遠ざかる方向に順次発光するパターンで発光部４を発光させる。発信処理とは、例えば、音声通話の発信やｅメールの発信等の処理であり、送信処理とは、赤外線や有線によるデータ送信等の処理を指す。
制御部６は、通信部２によって発信処理或いは送信処理が行われた場合に、上述したように発光部４を副表示部３２から遠ざかる方向に順次発光させた後に（あるいは同時に）、副表示部３２に発信処理或いは送信処理に関する情報を表示させる。発信処理に関する情報とは、例えば、音声通話の発信相手の情報（電話番号や名前等）や、ｅメールの送信相手の情報（ｅメールアドレスや名前等）、ｅメールの内容に関する情報（例えば、メール本文の一部や、メールの内容の傾向を表すアイコン等）であり、受信処理に関する情報とは、受信状態（転送速度等）、受信内容（受信したファイル名や、受信したデータの一部等）を指す。
このように発光部を副表示部３２から遠ざかる方向に順次発光させることにより、副表示部３２から外部に向かって（すなわち携帯端末１００から外へ）情報が出て行くようなイメージを見る者に抱かせることができる。
【００３０】
なお、上述したメールの内容の傾向を表すアイコンとは、メールの本文に使用されている語句の中からキーワードを抽出し、抽出されたキーワードを集計したメール全体の内容の傾向（具体的には、例えば、嬉しい、怒り、悲しい、急ぎ等）をアイコン形式で表現したものである。メール全体の内容の傾向は、携帯端末１００の図１に図示しないメール傾向抽出部が抽出してもよいし、内容の傾向を表現するアイコンの形式で発信元の通信端末から送信されてもよい。メールの内容の抽出に関しては、本発明とは実質的な関連はないため詳しい説明は省略する。メールの内容の抽出には、従来開発された技術を利用することができる。
【００３１】
次に、通信部２の通信状態に応じて発光部４の発光パターンを変える処理について説明する。
制御部６は、上述したように、通信部２が着信或いは受信処理を行った際には、副表示部３２に近づく方向に順次（図４（ａ）〜（ｄ）のいずれかに示すように）発光部４を発光させ、通信部２が発信或いは送信処理を行った際には、副表示部３２から遠ざかる方向に順次（図４（ｅ）〜（ｈ）のいずれかに示すように）発光部４を発光させるが、ここで制御部６は、通信部２が行った通信に関する情報（通信情報）を基に、発光部４の発光パターンを変化させる。
【００３２】
以下詳しく説明する。
通信部２が着信或いは受信処理を行った場合は、制御部６は図４（ａ）〜（ｄ）のいずれか１つの発光パターンで発光部４を発光させるが、制御部６は、例えば、着信の発信元や、ｅメールの内容の傾向に応じて発光部４の発光パターンを変化させる。すなわち、ユーザが予め電話番号を携帯端末１００のアドレス帳に登録する際に、その電話番号からの着信の際にどの発光パターンで発光部４を発光させるかを設定しておくことによって、制御部６は例えば、会社の電話からの着信の場合には、図４（ａ）に示すように短い時間で発光する発光部４が切り替わる発光パターンで発光部４を発光させ、友人の電話からの着信の場合には、図４（ｂ）に示すように発光する発光部４がゆっくり切り替わる発光パターンで発光部４を発光させる。また、ｅメールの内容の傾向と発光パターンとを予め登録しておくことによって（当該登録はユーザが行ってもよいし、工場出荷時に行われていても良い）、制御部６は例えば、メールの内容の傾向が「嬉しい」であった場合には図４（ｂ）に示すように発光する発光部４がゆっくり切り替わる発光パターンで発光部４を発光させ、メールの内容の傾向が「怒り」であった場合には図４（ａ）に示すように短い時間で発光する発光部４が切り替わる発光パターンで発光部４を発光させる。
【００３３】
また、制御部６は、副表示部３２に発光部４の発光に対応した画面を表示させる。
すなわち、通信部２が着信或いは受信処理を行う際には、発光部４が副表示部３２に近づくように発光した後に、制御部６は発光部４の発光と同じ向きへの移動を伴う画像を副表示部３２に表示させる。例えば、制御部６は図５（ａ）に示すようにアニメーションを伴う画面を副表示部３２に表示させる。図５では、矢印で示す順に画面が切り替わっていく。なお、図５においては、副表示部３２の右側に発光部４が配置されているものとする。そして、制御部６は、発光部４の発光と同じ向きへの移動を伴う画像を副表示部３２に表示させた後に、副表示部３２に着信或いは受信処理に関する情報を表示させる。すなわち、例えば音声通話の発信者の電話番号が表示される。
反対に、通信部２が発信或いは送信処理を行う際には、発光部４が副表示部３２から遠ざかるように発光する前に、発信或いは送信処理に関する情報（例えば、音声通話の発信相手の電話番号等）を表示させた後に、発光の方向と同方向への移動を伴う画像を表示させる。例えば、制御部６は図５（ｂ）に示すようにアニメーションを伴う画像を副表示部３２に表示させる。
このように発光部４の発光パターンと副表示部３２の画面表示とを連動させる、すなわち、発光部４の発光と副表示部３２の表示とを連動して実施する際に、発光部４の発光パターンの方向と副表示部３２に表示される画像の動きの方向とを対応させることによって、受信状態や送信状態をより分かりやすくユーザに認識させることができる。
【００３４】
なお、制御部６は、上述したように通信部２によって何らかの通信（発信、着信、送信、受信等）が行われた際以外にも、副操作部５２を介して副表示部３２の表示操作が行われた際にも発光部４を発光させる。
以下具体的に説明する。
【００３５】
副表示部３２が消灯した状態で、副操作部５２が押下された場合には、制御部６は発光部４を、図４（ａ）〜（ｄ）のいずれかに示すような副表示部３２に近づく方向に順次発光する発光パターンで発光させ、発光部４１及び４２、すなわち副表示部３２に最も近い発光部の発光が終わってから（すなわち、例えば図４（ａ）の発光パターンでは１周期分の発光が終わってから）副表示部３２を点灯させ各種情報を示す画像を含む待ち受け画面を表示させる。こうすることにより、ユーザに対し、副操作部５２を押下したどのくらい後に副表示部３２が点灯されるかを視覚的かつ直感的に認識させることができる。
なお、制御部６は、発光部４の１周期分の発光が終わった後は、発光部４の発光を止めてもよいし、発光部４を繰り返し発光させてもよい。
【００３６】
また、副表示部３２が点灯し画面が表示されている状態で、副操作部５２が押下された場合には、制御部６は、副表示部３２を消灯した後に発光部４を図４（ｅ）〜（ｈ）のいずれかに示すような、副表示部３２から遠ざかる方向に順次発光する発光パターンで発光させる。こうすることにより、ユーザに対して副表示部３２が消灯されたことを視覚的かつ直感的に認識させることができる。制御部６が発光部４を発光させる際には、発光パターンの１周期分で発光を止めさせてもよいし、繰り返し発光させてもよい。
【００３７】
また、その他の場合にも、制御部６は発光部４を発光させる。
例えば、制御部６がミュージックプレーヤやＦＭラジオ等の機能を実行させている際に、音に合わせて発光部４を点灯・点滅等させてもよい。また、副表示部３２に特定の情報を表示する際に、その表示に合わせて発光部４を点灯・点滅させてもよい。特定の情報とは、例えば、時計や日付情報、或いは携帯端末１００の状態を示す情報（電池残量や電波状況等）である。また、制御部６は、開いた状態の携帯端末１００を閉じたとき（図２（ａ）の状態から図２（ｂ）に示す状態に遷移したとき）に発光部４を点灯・点滅等させてもよい。
【００３８】
次に、本実施形態の携帯端末１００の動作例について説明する。
図６は、携帯端末１００の通信時の動作例を示したフローチャートである。
ステップＳＴ１：
制御部６は、通信部２により通信処理が実行されたか否かを判定し、通信部２に音声通話着信、ｅメール受信等の着・受信処理、或いは、音声通話発信、ｅメール送信等の発・送信処理を実行させた場合はステップＳＴ２に進み、そうでない場合はステップＳＴ１を繰り返す。
ステップＳＴ２：
制御部６は、ステップＳＴ１で通信部に実行させた通信処理が着・受信処理であった場合はステップＳＴ３に進み、発・送信処理であった場合や、着・受信の通信内容が所定の内容（例えば着信メールが「嬉しい」傾向の内容）である場合はステップＳＴ７に進む。
【００３９】
ステップＳＴ３：
制御部６は、ステップＳＴ１において判定された着・受信処理の通信に係る通信の通信相手が予め登録された相手であった場合にはステップＳＴ４に進み、そうでない場合はステップＳＴ５に進む。
ステップＳＴ４：
制御部６は、予め登録された相手や所定の内容に対応する発光パターンで発光部４を発光させる。
【００４０】
ステップＳＴ５：
制御部６は、副表示部３２に近づく方向に順次発光する発光パターン（図４（ａ）〜（ｄ）に示すパターンの内いずれか）で発光部４を発光させる。
ステップＳＴ６：
制御部６は、副表示部３２に着信画面・受信画面を表示させる。
【００４１】
ステップＳＴ７：
制御部６は、副表示部３２に発信画面・送信画面を表示させる。例えば、発信先の電話番号や発信先の通信相手の名称やメール本文の一部等を表示させる。
ステップＳＴ８：
制御部６は、ステップＳＴ１において判定された発・送信処理の通信に係る通信相手が予め登録された相手であった場合や発・送信の通信内容が所定の内容である場合にはステップＳＴ９に進み、そうでない場合はステップＳＴ１０に進む。
【００４２】
ステップＳＴ９：
制御部６は、予め登録された相手や所定の内容に対応する発光パターンで発光部４を発光させる。
ステップＳＴ１０：
制御部６は、副表示部３２に遠ざかる方向に順次発光する発光パターン（図４（ｅ）〜（ｈ）に示すパターンの内いずれか）で発光部４を発光させる。
【００４３】
次に、副操作部５２によって副表示部３２を点灯・消灯する際の動作例について説明する。
図７は、副操作部５２によって副表示部３２を点灯・消灯する際の携帯端末１００の動作例について説明するためのフローチャートである。
ステップＳＴ１１：
副操作部５２がユーザによって押下（操作）されたことが検出され、その操作信号が制御部６に入力される。
ステップＳＴ１２：
制御部６は、副操作部５２の操作信号が入力されたときに副表示部３２が点灯状態にあるか消灯状態にあるかを判定し、この時点で副表示部３２が消灯していればステップＳＴ１３へ進み、点灯していればステップＳＴ１５に進む。
【００４４】
ステップＳＴ１３：
制御部６は、発光部４を副表示部３２に近づく方向に順次発光する発光パターンで発光させる。
ステップＳＴ１４：
制御部６は、副表示部３２を点灯させるとともに、副表示部３２に各種情報や待ち受け画面等を表示させる。
【００４５】
ステップＳＴ１５：
制御部６は、副表示部３２を消灯させる。
ステップＳＴ１６：
制御部６は、発光部４を副表示部３２から遠ざかる方向に順次発光する発光パターンで発光させる。
【００４６】
以上説明したように、本実施形態の携帯端末１００によれば、通信部２により通信処理を行う際に、着・受信処理の場合には発光部４を副表示部３２に近づく方向に順次発光するパターンで発光させ、発・送信処理の場合には発光部４を副表示部３２から遠ざかる方向に順次発光するパターンで発光させるので、携帯端末１００を利用するユーザは、発光部４によって、着・受信処理か、発・送信処理かを携帯端末１００が閉じた状態でも視覚的かつ直感的に認識することができるので、携帯端末１００の使い勝手が向上する。
【００４７】
また、本実施形態の携帯端末１００によれば、制御部６は副表示部３２に通信に関する情報（通信相手、通信内容等）を表示させるので、ユーザは携帯端末１００が閉じた状態でも通信に関する情報を入手することができるので、携帯端末１００の使い勝手が向上する。
【００４８】
また、本実施形態の携帯端末１００によれば、通信相手や通信内容等に応じて発光パターンを予め登録しておくことによって、制御部６は、通信部２に実行させる通信処理が予め登録された通信相手や通信内容等であった場合には、対応する発光パターンで発光部４を発光させるので、ユーザは携帯端末１００が閉じた状態あっても、副表示部を見ずとも通信相手あるいは通信内容に関する情報を発光部４を介して視覚的かつ直感的に入手することができ、携帯端末１００の使い勝手が向上する。
【００４９】
また、本実施形態の携帯端末１００によれば、ユーザは副操作部５２を操作することによって副表示部３２の点灯状態と消灯状態とを切り替えることができるが、副表示部３２の点灯状態において副操作部５２が操作された場合には副表示部３２を消灯させてから発光部４を副表示部３２から遠ざかる方向で順次発光する発光パターンで発光させ、副表示部３２の消灯状態において副操作部５２が操作された場合には発光部４を副表示部３２に近づく方向で順次発光する発光パターンで発光させてから副表示部３２を点灯させるので、ユーザは副表示部が点灯するのか消灯するのかを発光部４を見ただけで視覚的かつ直感的に認識することができ、携帯端末１００の使い勝手が向上する。
【００５０】
また、本実施形態の携帯端末１００によれば、通信部２による通信処理や副表示部３２の点灯（表示）又は消灯の処理に応じて発光部４を副表示部３２に近づく方向又は副表示部３２から遠ざかる方向に順次発光させるとともに、副表示部３２に発光部４での発光状態に対応する動きを有するアニメーションなどの画像を表示させて、発光部４での発光状態と副表示部３２での画像表示とを連動させることにより、通信部２での通信処理の状態や副表示部３２の点灯（表示）処理又は消灯処理の状態を、発光部４の発光状態と副表示部３２の表示状態とによってユーザがより視覚的且つ直感的に認識することができ、携帯端末１００の使い勝手がより向上する。
【００５１】
また、本実施形態の携帯端末１００によれば、副操作部５２と発光部４と副表示部３２とを順次直列的に配置した構成としたことにより、副操作部５２の操作によって副表示部３２を点灯（表示）させる際には、副操作部５２の操作、発光部４の副表示部３２に近づく方向への発光、及び副表示部３２の点灯（表示）とが順次なされる、即ち副表示部３２０点灯（表示）が一連の動作を伴って実行されることとなり、副表示部３２の点灯（表示）をユーザがより視覚的且つ直感的に認識することができ、携帯端末１００の使い勝手がより向上する。
【００５２】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００５３】
上述した各実施形態では、通信機能を有する携帯端末１００について説明したが、本発明はこれには限定されない。すなわち、実施形態中で説明したように、副表示部３２と発光部４とを連動して表示及び発光させる通信機能を有さない電子機器等にも本発明は適用可能である。
また、上述した実施形態では、折り畳み型の携帯端末１００について説明したが、本発明はこれには限定されない。すなわち、ストレート型、スライド型、リボルバー型等の携帯端末や電子機器に対しても本発明は適用可能である。この場合、外部に露出する位置に副表示部３２及び発光部４が配置されていればよい。
【００５４】
上述した実施形態では、発光部４の発光する色については触れなかったが、発光する色の種類は何種類あってもよい。例えば、上述した実施形態において電流値を変化させることにより発光部４の明るさを変えることができると説明したが、明るさを変える代わりに色を変えて発光させても良い。
【００５５】
上述した実施形態では、発光部４の数は６個であり、副表示部３２の短手方向に２つ並び、長手方向にそれが３列配置されているとしたが、本発明はこれには限定されない。すなわち、発光部４は、副表示部３２の長手方向に複数配置されていれば良く、本発明は例えば図８に示すような種々の変形例を実施可能である。
図８（ａ）〜（ｃ）は、発光部４の配置の３つの変形例であり、副表示部３２内の矢印は副表示部３２に表示される画像の動き方向（アニメーションの方向）を示しており、発光部４に付された矢印は、副表示部３２の表示画像の動き方向に連動した方向の発光パターンを示している。図８（ｂ）に示すように副表示部３２の長手方向両側に発光部４を配置した場合には、副表示部３２に表示する画面を、図５（ａ）に示すように発光部４が配置された側の画面端から反対の画面端へのアニメーションを伴う画像ではなく、画面の長手方向両端から画面の中央へのアニメーションを伴う画像を表示し、図５（ｂ）に示すように発光部４が配置されていない側の画面端から反対の画面端へのアニメーションを伴う画像ではなく、画面の中心から画面の両端へのアニメーションを伴う画像を副表示部３２が表示して、発光部４の発光状態（発光パターン）と連動した動きを有する画像を副表示部３２に表示するようにすればよい。
【００５６】
また、上述した実施形態では、発光部４が、上述したように副表示部３２に向かって直列的に複数配設される構成としたが、図８（ｃ）に示すように、発光部４を副表示部３２の長手方向（又は短手方向）に沿って複数配設される構成としても良い。この構成の場合にも、発光部４の順次発光される発光パターンの方向と副表示部３２に表示される画像の動きの方向とを連動させるように、制御部６は発光部４の発光状態と副表示部３２の表示状態とを制御する。よって、発光部４の発光状態と副表示部３２の表示状態とが連動されることとなる、通信部２での通信状態や副表示部３２の点灯（表示）又は消灯状態とをユーザに視覚的にかつ直感的に認識させることができるので、携帯端末１００の使い勝手が向上する。
また、上述した実施形態では、発光部４を副表示部３２に近づく方向に順次発光させた後に副表示部３２に画像を表示させる、或いは副表示部３２に画像を表示させた後に副表示部３２から遠ざかる方向に順次発光させるようにして、発光部４の発光と副表示部３２の画像表示とを順次行う構成としたが、これに限定されることなく、発光部４の発光と副表示部３２の画像表示とを同時に実施するように構成してもよい。この場合にも、発光部４の発光パターンの方向と副表示部３２に表示する画像の動きの方向とを対応させる構成とすることにより、上述した実施形態と同様の効果が得られる。
【符号の説明】
【００５７】
１００…携帯端末、１…筐体、１１…第１筐体、１２…第２筐体、２…通信部、３…表示部、３１…主表示部、３２…副表示部、４，４１，４２，４３，４４，４５，４６…発光部、５…操作部、５１…主操作部、５２…副操作部、６…制御部
【図１】
2011078122.tif 000003
【図２】
2011078122.tif 000004
【図３】
2011078122.tif 000005
【図４】
2011078122.tif 000006
【図５】
2011078122.tif 000007
【図６】
2011078122.tif 000008
【図７】
2011078122.tif 000009
【図８】
2011078122.tif 000010